【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
医療機器であって、
撮像ゾーン内の磁気共鳴データを収集する磁気共鳴撮像システムと、
マシン実行可能な命令、第１パルスシーケンスコマンド、第２パルスシーケンスコマンド及び第３パルスシーケンスコマンドを記憶するメモリであって、前記第１パルスシーケンスコマンドは前記磁気共鳴撮像システムにＴ１測定磁気共鳴撮像プロトコルに従って平衡磁化磁気共鳴データを収集させ、前記第２パルスシーケンスコマンドは前記磁気共鳴撮像システムに陽子共鳴周波数シフト磁気共鳴撮像プロトコルに従って動的ＰＲＦＳ磁気共鳴データを収集させ、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記第３パルスシーケンスコマンドが更に前記磁気共鳴撮像システムに各磁気共鳴データ部分の収集の開始時において飽和準備を実行させるメモリと、
当該医療機器を制御するためのプロセッサと、
を有し、前記マシン実行可能な命令の実行が前記プロセッサに、
前記第１パルスシーケンスコマンドを使用して前記磁気共鳴撮像システムを制御することにより平衡磁化磁気共鳴撮像データを収集させ、
前記平衡磁化磁気共鳴撮像データから平衡磁化基準画像を算出させ、
前記マシン実行可能な命令の実行が前記プロセッサに、
前記磁気共鳴撮像システムを前記第２パルスシーケンスコマンドで制御することにより前記動的ＰＲＦＳ磁気共鳴データを収集させ、
前記磁気共鳴撮像システムを前記第３パルスシーケンスコマンドで制御することにより磁気共鳴データ部分を収集させ、その場合において、前記動的ＰＲＦＳ磁気共鳴データ及び前記磁気共鳴データ部分の収集はインターリーブされ、前記磁気共鳴データ部分は前記一組の磁気共鳴データ部分に属し、
完全な組の磁気共鳴データ部分が収集された後に、前記一組の磁気共鳴データ部分を前記動的Ｔ１磁気共鳴データに再組立させ、
前記再組立された動的Ｔ１磁気共鳴データ、及び前記動的ＰＲＦＳ磁気共鳴データが収集される前に収集されたデータから再構築された平衡磁化画像を用いてＴ１マップを算出させ、
前記動的ＰＲＦＳ磁気共鳴データ及び前記Ｔ１マップを用いてＰＲＦＳ位相校正情報を算出させ、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出させる、
ことを繰り返させる、医療機器。
【請求項２】
前記命令の実行が更に前記プロセッサに、
前記磁気共鳴データ部分から動的画像を算出させ、
前記平衡磁化基準画像及び前記動的画像を用いて所定の閾値を超える被検体の動きを検出させ、
前記被検体の動きが検出されたら、前記第１パルスシーケンスコマンドを用いて前記磁気共鳴撮像システムを制御することにより前記平衡磁化磁気共鳴撮像データを再収集させ、
前記被検体の動きが検出されたら、前記平衡磁化磁気共鳴撮像データから前記平衡磁化基準画像を再算出させる、
ことを繰り返させる、請求項１に記載の医療機器。
【請求項３】
前記被検体の動きが、相互相関アルゴリズム、剛体動き検出アルゴリズム、弾性的位置合わせアルゴリズム、オプティカルフローアルゴリズム及びこれらの組合せのうちの何れか１つを用いて検出される、請求項２に記載の医療機器。
【請求項４】
目標ゾーン内の温度を修正するための温度制御システムを更に有し、前記目標ゾーンが前記撮像ゾーン内にある、請求項１、２又は３に記載の医療機器。
【請求項５】
前記温度制御システムが、高密度焦点型超音波システム、ラジオ周波数組織加熱システム、マイクロ波アプリケータ、低温アブレータ及びレーザのうちの何れか１つである、請求項４に記載の医療機器。
【請求項６】
前記マシン実行可能な命令の実行が更に前記プロセッサに、
前記温度制御システムに前記目標ゾーンの温度を修正させる温度制御システムコマンドを受信させ、
前記ＰＲＦＳ温度マップを用いて前記温度制御システムコマンドを繰り返し修正させる、
請求項４又は請求項５に記載の医療機器。
【請求項７】
ディスプレイを備えるユーザインターフェースを更に有し、前記マシン実行可能な命令の実行が更に前記プロセッサに、
前記ディスプレイ上に前記ＰＲＦＳ温度マップを表示させ、
前記ユーザインターフェースからユーザ制御データを受信させ、
前記ユーザ制御データを用いて前記温度制御システムコマンドを修正させる、
請求項６に記載の医療機器。
【請求項８】
前記マシン実行可能な命令の実行が前記プロセッサに、前記温度制御システムを前記温度制御システムコマンドにより制御させる、請求項６又は請求項７に記載の医療機器。
【請求項９】
前記Ｔ１測定磁気共鳴撮像プロトコルが飽和回復ルックロッカー磁気共鳴撮像プロトコルである、請求項１ないし８の何れか一項に記載の医療機器。
【請求項１０】
前記マシン実行可能な命令の実行が、前記平衡磁化磁気共鳴撮像データを収集してから所定の時間間隔後に前記プロセッサに、
前記第１パルスシーケンスコマンドを用いて前記磁気共鳴撮像システムを制御することにより、前記平衡磁化磁気共鳴撮像データを再収集させ、及び
被検体の動きが検出されたら、前記平衡磁化磁気共鳴撮像データから平衡磁化画像を再算出させる、
請求項１ないし９の何れか一項に記載の医療機器。
【請求項１１】
医療機器の作動方法であって、前記医療機器は撮像ゾーン内の磁気共鳴データを収集する磁気共鳴撮像システムを有し、当該方法が、
第１パルスシーケンスコマンドを使用して前記磁気共鳴撮像システムを制御することにより平衡磁化磁気共鳴撮像データを収集するステップであって、前記第１パルスシーケンスコマンドが前記磁気共鳴撮像システムにＴ１測定磁気共鳴撮像プロトコルに従って平衡磁化磁気共鳴データを収集させるステップと、
前記平衡磁化磁気共鳴撮像データから平衡磁化基準画像を算出するステップと、
を有し、
当該方法は更に、
前記磁気共鳴撮像システムを第２パルスシーケンスコマンドで制御することにより動的ＰＲＦＳ磁気共鳴データを収集するステップであって、前記第２パルスシーケンスコマンドが前記磁気共鳴撮像システムに陽子共鳴周波数シフト磁気共鳴撮像プロトコルに従って前記動的ＰＲＦＳ磁気共鳴データを収集させるステップと、
前記磁気共鳴撮像システムを第３パルスシーケンスコマンドで制御することにより磁気共鳴データ部分を収集するステップであって、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記動的ＰＲＦＳ磁気共鳴データ及び前記磁気共鳴データ部分の収集はインターリーブされ、前記磁気共鳴データ部分は前記一組の磁気共鳴データ部分に属し、前記第３パルスシーケンスコマンドが前記磁気共鳴撮像システムに各磁気共鳴データ部分の収集の開始時において飽和準備を実行させるステップと、
完全な組の磁気共鳴データ部分が収集された後に、前記一組の磁気共鳴データ部分を前記動的Ｔ１磁気共鳴データに再組立するステップと、
前記再組立された動的Ｔ１磁気共鳴データ、及び前記動的ＰＲＦＳ磁気共鳴データが収集される前に収集されたデータから再構築された平衡磁化画像を用いてＴ１マップを算出するステップと、
前記動的ＰＲＦＳ磁気共鳴データ及び前記Ｔ１マップを用いてＰＲＦＳ位相校正情報を算出するステップと、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出するステップと、を繰り返し実行することを有する、方法。
【請求項１２】
当該方法が更に、
前記一組の磁気共鳴データ部分から選択された磁気共鳴データ部分から動的画像を算出するステップであって、前記選択された磁気共鳴データ部分が縦磁化を最大にするように選択されるステップと、
前記平衡磁化基準画像及び前記動的画像を用いて所定の閾値を超える被検体の動きを検出するステップと、
前記被検体の動きが検出されたら、前記第１パルスシーケンスコマンドを用いて前記磁気共鳴撮像システムを制御することにより前記平衡磁化磁気共鳴撮像データを再収集するステップと、
前記被検体の動きが検出されたら、前記平衡磁化磁気共鳴撮像データから前記平衡磁化基準画像を再算出するステップと、
を繰り返し実行することを有する、請求項１１に記載の方法。
【請求項１３】
前記被検体の動きが、相互相関アルゴリズム、剛体動き検出アルゴリズム、弾性的位置合わせアルゴリズム、オプティカルフローアルゴリズム及びこれらの組合せのうちの何れか１つを用いて検出される、請求項１２に記載の方法。
【請求項１４】
医療機器を制御するプロセッサにより実行するためのマシン実行可能な命令を有するコンピュータプログラムであって、前記医療機器は撮像ゾーン内の磁気共鳴データを収集する磁気共鳴撮像システムを有し、前記マシン実行可能な命令の実行は前記プロセッサに、
第１パルスシーケンスコマンドを使用して前記磁気共鳴撮像システムを制御することにより平衡磁化磁気共鳴撮像データを収集させ、その場合において、前記第１パルスシーケンスコマンドは前記磁気共鳴撮像システムにＴ１測定磁気共鳴撮像プロトコルに従って平衡磁化磁気共鳴データを収集させ、
前記平衡磁化磁気共鳴撮像データから平衡磁化基準画像を算出させ、
前記マシン実行可能な命令の実行は、前記プロセッサに、
前記磁気共鳴撮像システムを第２パルスシーケンスコマンドで制御することにより動的ＰＲＦＳ磁気共鳴データを収集させ、その場合において、前記第２パルスシーケンスコマンドは前記磁気共鳴撮像システムに陽子共鳴周波数シフト磁気共鳴撮像プロトコルに従って前記動的ＰＲＦＳ磁気共鳴データを収集させ、
前記磁気共鳴撮像システムを第３パルスシーケンスコマンドで制御することにより磁気共鳴データ部分を収集させ、その場合において、前記第３パルスシーケンスコマンドは前記磁気共鳴撮像システムに前記Ｔ１測定磁気共鳴撮像プロトコルに従って動的Ｔ１磁気共鳴データを収集させ、前記第３パルスシーケンスコマンドは更に前記磁気共鳴撮像システムに前記動的Ｔ１磁気共鳴データを一組の磁気共鳴データ部分として連続して収集させ、前記動的ＰＲＦＳ磁気共鳴データ及び前記磁気共鳴データ部分の収集はインターリーブされ、前記磁気共鳴データ部分は前記一組の磁気共鳴データ部分に属し、前記第３パルスシーケンスコマンドは前記磁気共鳴撮像システムに各磁気共鳴データ部分の収集の開始時において飽和準備を実行させ、
完全な組の磁気共鳴データ部分が収集された後に、前記一組の磁気共鳴データ部分を前記動的Ｔ１磁気共鳴データに再組立させ、
前記再組立された動的Ｔ１磁気共鳴データ、及び前記動的ＰＲＦＳ磁気共鳴データが収集される前に収集されたデータから再構築された平衡磁化画像を用いてＴ１マップを算出させ、
前記動的ＰＲＦＳ磁気共鳴データ及び前記Ｔ１マップを用いてＰＲＦＳ位相校正情報を算出させ、
前記ＰＲＦＳ位相校正情報が算出されたなら、前記動的ＰＲＦＳ磁気共鳴データ及び前記ＰＲＦＳ位相校正情報を用いてＰＲＦＳ温度マップを算出させる、
ことを繰り返させる、コンピュータプログラム。